(57)【要約】【課題】  迅速に事件発生地点の周辺の映像情報を得て、有効活用できる映像蓄積配信システムを提供する。【解決手段】  事故発生場所１０４ａ〜１０４ｂなどの事件発生地点の情報と、事件発生地点からの半径距離情報１０５ａ〜１０５ｂを受け取った移動端末１０２ａ〜１０２ｄが、事件発生地点からの半径距離情報内に入ると、その撮影映像を自動的に映像蓄積映像サーバ１００にライブ映像として送信し、映像蓄積配信サーバは、特定範囲内に位置する他の移動端末１０２ａ〜１０２ｄに、蓄積した映像を逐次外部配信することにより情報連携し、情報の有効活用を行う。【選択図】  図１
2019021187.tif 000002
【特許請求の範囲】
【請求項１】
位置情報と連動する映像蓄積情報配信システムであって、
映像を撮影可能な情報端末と、
前記情報端末が撮影した映像を受信して蓄積し、当該映像を配信可能な蓄積映像サーバと、を備え、
前記情報端末は、事件発生地点から所定距離内に入ると、撮影した前記映像を前記蓄積映像サーバに送信し、
前記蓄積映像サーバは、前記情報端末が送信する前記映像を蓄積し、蓄積した前記映像を指定した他の情報端末に配信する、
ことを特徴とする映像蓄積配信システム。
【請求項２】
請求項１記載の映像蓄積配信システムであって、
前記事件発生地点と、前記所定距離を設定する前記事件発生地点からの半径距離情報を、前記情報端末に送信する管理端末を更に備える、
ことを特徴とする映像蓄積配信システム。
【請求項３】
請求項２記載の映像蓄積配信システムであって、
前記他の情報端末は特定範囲内の情報端末であり、前記特定範囲は、前記事件発生地点から前記半径距離情報で設定される、
ことを特徴とする映像蓄積配信システム。
【請求項４】
請求項３記載の映像蓄積配信システムであって、
前記情報端末は、前記位置情報を測位する位置測位部を備える移動体である、
ことを特徴とする映像蓄積配信システム。
【請求項５】
請求項４記載の映像蓄積配信システムであって、
前記蓄積映像サーバは、
２以上の前記情報端末の前記位置情報を定期的に取得し、
前記事件発生地点に近づいた前記情報端末が撮影した映像を、前記他の情報端末に送信する、
ことを特徴とする映像蓄積配信システム。
【発明の詳細な説明】
【技術分野】
【０００１】
本発明は、位置情報と連動した映像蓄積配信システムに係り、特に移動端末の位置情報を利用した映像の蓄積・配信技術に関する。
【背景技術】
【０００２】
ユーザが所望の場所の近傍を走行する車両などの移動体を自由に選択し、車載カメラの撮影画像その他の情報を取得する技術の背景技術として、例えば特許文献１がある。本特許文献には、「ユーザがリスト１８８の中から画像送信を希望するプローブ車（対象プローブ車）１００を選択し、当該選択した対象プローブ車１００に対応するリスト１８８内の行を押下すると、当該対象プローブ車１００の車載カメラ１１２の撮影画像がサーバ１０４を介して端末機１０６で受信される。」と記載されている。
【先行技術文献】
【特許文献】
【０００３】
【特許文献１】特開２０１４−１６４３１６号公報
【発明の概要】
【発明が解決しようとする課題】
【０００４】
上述した先行技術では、ユーザが画像を取得したい地点近傍にいる車載カメラ搭載のプローブ車を地図上で選択して周辺映像を取得するものであるが、該当のプローブ車に画像取得の許可を得る必要がある。また、ユーザが映像を取得したい地点近傍の映像をすべて録画保存し、また外部配信することは考慮していない。このため、事故や火事などの事件発生時に情報連携が必須となる場合に、必要な情報の要求に対応しきれない場合がある可能性がある。
【０００５】
そこで、本発明の目的は、上記の課題を解決し、事件発生時に事件発生地点周辺にいる移動端末からの撮影映像を連携して活用可能な映像蓄積配信システムを提供することにある。
【課題を解決するための手段】
【０００６】
上記の目的を達成するため、本発明においては、位置情報と連動する映像蓄積情報配信システムであって、映像を撮影可能な情報端末と、情報端末が撮影した映像を受信して蓄積し、映像を配信可能な蓄積映像サーバとを備え、情報端末は、事件発生地点から所定距離内に入ると、撮影した映像を蓄積映像サーバに送信し、蓄積映像サーバは情報端末が送信する映像を蓄積し、蓄積した映像を指定した他の情報端末に配信する映像蓄積配信システムを提供する。
【発明の効果】
【０００７】
本発明によれば、事件発生地点の周辺の映像情報を迅速に得ることができ、早期の事件解決に貢献することができる。
【図面の簡単な説明】
【０００８】
【図１】実施例１に係る映像蓄積配信システムの一構成例を示す図である。
【図２】実施例１に係る映像蓄積配信サーバの一構成例を示す図である。
【図３】実施例１に係る映像を撮影する移動端末の一構成例を示す図である。
【図４】実施例１に係る発生地点情報テーブルの一例を示す図である。
【図５】実施例１に係る移動端末管理情報テーブルの一例を示す図である。
【図６】実施例１に係る指定配信先情報テーブルの一例を示す図である。
【図７】実施例１に係る現在配信情報テーブルの一例を示す図ある。
【図８】実施例１に係る映像送信サービス処理のフローチャートの一例を示す図である。
【図９】実施例１に係る位置情報該当判定処理のフローチャートの一例を示す図である。
【図１０】実施例１に係る映像蓄積配信処理のフローチャートの一例を示す図である。
【発明を実施するための形態】
【０００９】
以下、本発明の実施の態様を図面に従い順次説明する。なお、複数の図面において、同一物は同一の数番を付した。本明細書で、事件とは事故や火事などに代表される事象全般を意味し、事件発生地点には事故発生場所を含むこととする。
【実施例１】
【００１０】
実施例１は、位置情報を利用した映像蓄積配信システムの映像蓄積配信方式の実施例である。すなわち、位置情報と連動する映像蓄積情報配信システムであって、映像を撮影可能な情報端末と、情報端末が撮影した映像を受信して蓄積し、映像を配信可能な蓄積映像サーバとを備え、情報端末は、事件発生地点から所定距離内に入ると、撮影した映像を蓄積映像サーバに送信し、蓄積映像サーバは情報端末が送信する映像を蓄積し、蓄積した映像を指定した他の情報端末に配信する映像蓄積配信システムの実施例である。
【００１１】
図１は、実施例１の映像蓄積配信システムの全体構成の一例を示している。同図において、移動端末１０２ａ〜１０２ｃは、警察のパトカー、消防車などに代表される移動体であって、それぞれ撮影機能や通信機能を備えた端末である。映像蓄積配信サーバ１００は、映像を蓄積でき、蓄積した映像を配信できるサーバである。映像蓄積配信サーバ１００は、管理端末１０１から事故、災害等の事件発生地点である事故発生場所１０４ａ、１０４ｂと、事件発生地点からの半径距離情報１０５ａ、１０５ｂと、映像の配信先となる映像表示装置１０３ａ、１０３ｂの情報等を受け付ける。そして、指定された事故発生場所１０４ａから、受け取った半径距離情報１０５ａ以内にいる移動端末１０２ａに対して映像要求を送信する。管理端末１０１は、半径距離情報１０５ａ、１０５ｂを適宜設定、変更することが可能であり、異なる発生地点に対して、異なる値を設定することができる。
【００１２】
映像要求を受けた移動端末１０２ａは、映像蓄積配信サーバ１００に映像の送信を開始する。移動端末１０２ａから映像を受信した映像蓄積配信サーバ１００は、サーバ内の記憶装置などの映像データ蓄積部に自動的に映像の蓄積を開始し、受信・蓄積した映像を映像表示装置１０３ａ、１０３ｂに配信することができる。映像蓄積配信サーバ１００は、通常のコンピュータ構成を備えたサーバであり、プログラムを実行する中央処理部（ＣＰＵ）と、各種のデータを蓄積する記憶部、外部と各種のやり取りを行う入出力部等から構成される。
【００１３】
図２は、本実施例の映像蓄積配信サーバの一構成例を示す図である。同図において、映像蓄積配信サーバ１００は、記憶部の所定領域に設けられる発生地点情報テーブル２０１、移動端末管理情報テーブル２０２、指定配信先情報テーブル２０３、現在配信情報テーブル２０４、映像データ蓄積部２０８を備える。また、映像蓄積配信サーバ１００は、ＣＰＵのプログラム実行で実現される発生地点情報設定・解除部２０５、位置情報該当判定部２０６、映像蓄積配信部２０７を備える。さらに、入出力部の一つとして外部の装置とデータを通信するための通信部２０９を備える。
【００１４】
発生地点情報テーブル２０１は、管理端末１０１により指定された緯度、経度、半径距離情報、映像蓄積要否、を保持するテーブルである。
【００１５】
移動端末管理情報テーブル２０２は、該当する移動端末の映像を現在蓄積しているかの情報を保持するテーブルである。
【００１６】
指定配信先情報テーブル２０３は、管理端末により指定された発生地点の特定範囲に入った移動端末の映像をどの装置に配信するかを保持するテーブルである。この特定範囲は、事件発生地点からの半径距離情報で設定することができる。
【００１７】
現在配信情報テーブル２０４は、現在映像を配信している配信先装置のＩＰアドレス、配信している映像を示す移動端末ＩＤ、を保持するテーブルである。
【００１８】
発生地点情報設定・解除部２０５は、管理端末１０１から送信される、事故、災害等の事件発生地点の緯度、経度、半径距離情報、映像蓄積要否、を受信し、発生地点情報テーブル２０１に登録する。また、管理端末１０１から事件発生地点情報と合せて送信される、指定した事件発生地点の特定範囲内に入った移動端末からの映像の配信先装置情報を受信し、発生地点情報テーブル２０１に登録した発生地点ＩＤと、配信先装置のＩＰアドレスを、指定配信先情報テーブル２０３に登録する。また、発生地点情報設定・解除部２０５は管理端末から発生地点ＩＤを指定して送信される、発生地点情報解除指示を受け付け、該当する発生地点ＩＤの情報を発生地点情報テーブル２０１および指定配信先情報テーブル２０３から削除する。
【００１９】
位置情報該当判定部２０６は、移動端末１０２から受信した現在位置情報と、発生地点情報テーブル２０１に保持している発生地点情報から、移動端末が指定された事件発生地点の半径距離情報以内にいるかを判定し、移動端末へ映像送信が必要かどうかの映像要求情報を送信する。詳細は後述する。
【００２０】
映像蓄積配信部２０７は、移動端末１０２aから送信される映像を受信し、発生地点情報テーブル２０１に登録されている情報により、自動的に映像データ蓄積部２０８に映像データを蓄積する。また、指定配信先情報テーブル２０３に登録されている情報により、自動的に映像表示装置１０３a、１０３ｂ、移動端末等に映像を配信する。詳細は後述する。
【００２１】
図３は、本実施例の移動端末１０２の一構成例を示す図である。移動端末１０２は、映像送信サービス部３０１、位置測位部３０２、映像撮影部３０３、外部の装置とデータを通信するための通信部３０４、映像表示装置３０５を有する。後述するように、移動端末１０２ａ〜１０２ｄ各々は、他の移動端末が撮影した映像を表示する必要があるので、移動端末１０２ａ〜１０２ｄ各々は、その内部に映像表示装置３０５を備えている。この移動端末１０２ａ〜１０２ｄも、カメラ機能を含むコンピュータ構成を備えたパーソナルコンピュータ（ＰＣ）で構成可能であり、プログラムを実行する中央処理部（ＣＰＵ）により、映像送信サービス部３０１、位置測位部３０２等を実現する。
【００２２】
映像送信サービス部３０１は、決められた一定の間隔で、位置測位部３０２で算出した緯度・経度を映像蓄積配信サーバ１００に送信し、映像蓄積配信サーバ１００から受信した映像要求情報により映像送信が必要かを判定し、必要な場合は映像撮影部３０３に撮影開始を指示し、映像蓄積配信サーバ１００へ撮影した映像を送信する。詳細は後述する。
【００２３】
位置測位部３０２は、ＧＰＳなどにより自端末の現在位置の緯度・経度を算出する。映像撮影部３０３は、内蔵または外付けのカメラを有し、映像を撮影し、映像データを取得する。
【００２４】
図４は、図２の映像蓄積配信サーバ１００中の発生地点情報テーブル２０１の一構成例を示す。同図に示す通り、発生地点情報テーブル２０１は、そのカラムに示す発生地点ＩＤ、緯度、経度、半径距離情報、映像蓄積要否に対応する内容を蓄積する。
【００２５】
図５は、図２中の映像蓄積配信サーバ１００の移動端末管理情報テーブル２０２の一構成例を示す。移動端末管理情報テーブル２０２は、そのカラムに示す移動端末ＩＤ、映像蓄積状態に対応する内容を蓄積する。
【００２６】
図６は、図２中の映像蓄積配信サーバ１００の指定配信先情報テーブル２０３の一構成例である。指定配信先情報テーブル２０３は、そのカラムに示す発生地点ＩＤ、配信先装置ＩＰアドレスに対応する内容を蓄積する。
【００２７】
図７は、図２中の映像蓄積配信サーバ１００の現在配信情報テーブル２０４の一構成例である。現在配信情報テーブル２０４は、そのカラムに示す配信先装置ＩＰアドレス、配信先装置ポート番号、移動端末ＩＤに対応する内容を蓄積する。
【００２８】
図８は、本実施例の映像蓄積配信システムの移動端末１０２ａ〜１０２ｄ各々の、図３に示した映像送信サービス部３０１の処理を説明するフローチャートの一例である。本処理フローは、移動端末１０２の起動時など、映像送信サービス部３０１が起動すると処理を開始する。
【００２９】
ステップ８０１：映像送信サービス部３０１は、位置測位部３０２により自端末の現在の位置情報である緯度、経度を取得する。
【００３０】
ステップ８０２：取得した位置情報と自端末の移動端末ＩＤを映像蓄積配信サーバ１００へ送信する。
【００３１】
ステップ８０３：映像送信サービス部３０１は、送信した現在位置情報の応答として映像蓄積配信サーバ１００から映像要求情報を受信する。
【００３２】
ステップ８０４：映像送信が必要か否かを確認する。
ステップ８０５：映像要求ありの場合は現在映像撮影中か確認する。
【００３３】
ステップ８０６：映像撮影していない場合は、映像撮影および映像蓄積配信サーバ１００への映像データの送信を開始する。
【００３４】
ステップ８０７：映像蓄積配信サーバ１００からの映像要求情報が映像要求なしの場合は、現在映像撮影中か確認する。
ステップ８０８：映像撮影をしている場合は、映像撮影および映像蓄積配信サーバ１００への映像データの送信を停止する。
【００３５】
ステップ８１０：サービス停止操作がない場合は、一定時間をおいて再度ステップ８０１から処理を行う。サービス停止操作がされた場合、現在映像撮影および映像データの送信を行っているかを判定し、行っている場合は停止する。
【００３６】
図９は、本実施例の映像蓄積配信システムの映像蓄積配信サーバ１００の位置情報該当判定部２０６の処理を説明するフローチャートの一例である。本処理は、移動端末１０２から現在位置情報を受信すると処理を開始する。
【００３７】
ステップ９０１：最初に、発生地点情報テーブル２０１から発生地点情報一覧を取得する。
ステップ９０２：以下、発生地点情報一覧の数だけ繰り返し実施する。
【００３８】
ステップ９０３：管理端末１０１によって指定された発生地点情報の緯度、経度と、移動端末から受信した現在位置の距離を算出する。
【００３９】
ステップ９０４：算出した事件発生地点と移動端末との距離と、発生地点情報の半径距離情報を比較し、移動端末が事件発生地点の指定された特定範囲内にあるかを判定する。判定の結果、特定範囲内であった場合、その発生地点情報の発生地点ＩＤを保持する。
発生地点情報が他にある場合は、再度ステップ９０２に戻り処理を行う。
【００４０】
ステップ９０５：発生地点情報一覧の情報数分繰り返し実施後、移動端末が事件発生地点の特定範囲内にあるか判定する。
ステップ９０６：特定範囲内に発生地点情報がある場合、移動端末１０２に映像要求ありで応答する。
【００４１】
ステップ９０７：ステップ９０４で１件も該当する発生地点情報がなかった場合、移動端末１０２に映像要求なしで応答する。
【００４２】
ステップ９０８：映像蓄積配信部２０７へ、移動端末１０２から受信した移動端末ＩＤと、ステップ９０４で保持した発生地点ＩＤのリストを送信し、処理を終了する。
【００４３】
図１０は、本実施例の映像蓄積配信システムの映像蓄積配信サーバ１００の映像蓄積配信処理を説明するフローチャートの一例である。本処理は、映像蓄積配信部２０７が、位置情報該当判定部２０６から情報を受信すると処理を開始する。
【００４４】
ステップ１００１：最初に、位置情報該当判定部２０６から受信した発生地点ＩＤのリストにより、発生地点情報テーブルを検索して、発生地点情報一覧を取得する。
【００４５】
ステップ１００２：取得した発生地点情報一覧の中に、映像蓄積要否が必要となっている情報があるか判定する。
【００４６】
ステップ１００３：映像蓄積必要の情報がある場合は、移動端末管理情報テーブル２０２の映像蓄積状態により、対象の移動端末の映像を現在蓄積中か確認する。
ステップ１００４：蓄積していない場合は、対象の移動端末から受信した映像の蓄積を開始し、移動端末管理情報テーブル（２０２）の対象の移動端末管理情報の映像蓄積状態を蓄積中に更新する。
【００４７】
ステップ１００５：映像蓄積必要の情報がない場合は、移動端末管理情報テーブル（２０２）の映像蓄積状態により、対象の移動端末の映像を現在蓄積中か確認する。
ステップ１００６：蓄積している場合は、対象の移動端末から受信している映像の蓄積を停止し、移動端末管理情報テーブル（２０２）の対象の移動端末管理情報の映像蓄積状態を蓄積停止中に更新する。
【００４８】
ステップ１００７：次に、位置情報該当判定部２０６から受信した発生地点ＩＤのリストに合致する情報を、指定配信先情報テーブル（２０３）から取得する。これをリストＡとする。
【００４９】
ステップ１００８：位置情報該当判定部２０６から受信した移動端末ＩＤに合致する情報を、現在配信情報テーブル（２０４）から取得する。これをリストＢとする。
【００５０】
ステップ１００９：映像の配信対象装置であるリストＡと、現在配信中のリストＢを比較し、リストＡにありリストＢにない映像表示装置に対して、移動端末から受信している映像の配信を開始し、現在配信情報テーブル（２０４）に情報を登録する。
【００５１】
ステップ１０１０：リストＢにありリストＡにない映像表示装置に対しては、移動端末から受信している映像の配信を停止し、現在配信情報テーブル（２０４）から情報を削除する。
【００５２】
これにより、本実施例の映像蓄積配信サーバ１００は、管理端末１０１の指示に従い、事件発生時点の特定範囲内にいる情報端末の撮影映像を、他の情報端末に送信することが可能となる。なお、管理端末１０１が設定する半径距離情報に基づき特定範囲が決定されるが、撮影映像を受け取る情報端末の特定範囲と、撮影映像を送信する情報端末の特定範囲は同一でなく、必要に応じて異なる範囲とすることも可能である。
【００５３】
以上のように、本実施例の映像蓄積配信システムによれば、発生地点と、蓄積の要否と、配信先を登録しておき、移動端末からの現在位置情報を定期的に受信することで、指定した事件発生地点の特定範囲内に入った移動端末からの映像を自動的に蓄積開始し、また、必要な配信先の装置へ映像を配信することが可能となる。
【００５４】
本実施例の映像蓄積配信システムによれば、警察や、消防活動などに対して、迅速に事件発生地点周辺の映像情報を得ることができ、映像情報を集めて、映像解析等を行い、判断を迅速に行うことができ、早期の事件解決に貢献可能であり、有効なシステムを提供することができる。
【００５５】
なお、本発明は上記した実施例に限定されるものではなく、様々な変形例が含まれる。例えば、上記した実施例は本発明のより良い理解のために詳細に説明したのであり、必ずしも説明の全ての構成を備えるものに限定されるものではない。また、ある実施例の構成の一部を他の実施例の構成に置き換えることが可能であり、また、ある実施例の構成に他の実施例の構成を加えることが可能である。また、各実施例の構成の一部について、他の構成の追加・削除・置換をすることが可能である。
【００５６】
更に、上述した各構成、機能、処理部等は、それらの一部又は全部を実現するプログラムを作成する例を説明したが、それらの一部又は全部を例えば集積回路で設計する等によりハードウェアで実現しても良いことは言うまでもない。すなわち、処理部の全部または一部の機能は、プログラムに代え、例えば、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積回路などにより実現してもよい。
【符号の説明】
【００５７】
１００  映像蓄積配信サーバ
１０１  管理端末
１０２ａ〜１０２ｄ  移動端末
１０３ａ，１０３ｂ、３０５  映像表示装置
１０４ａ，１０４ｂ  事故発生場所
１０５ａ，１０５ｂ  半径距離情報
２０１  発生地点情報テーブル
２０２  移動端末管理情報テーブル
２０３  指定配信先情報テーブル
２０４  現在配信情報テーブル
２０５  発生地点情報設定・解除部
２０６  位置情報該当判定部
２０７  映像蓄積配信部
２０８  映像データ蓄積部
２０９、３０４  通信部
３０１  映像送信サービス部
３０２  位置測位部
３０３  映像撮影部
【図１】
2019021187.tif 000003
【図２】
2019021187.tif 000004
【図３】
2019021187.tif 000005
【図４】
2019021187.tif 000006
【図５】
2019021187.tif 000007
【図６】
2019021187.tif 000008
【図７】
2019021187.tif 000009
【図８】
2019021187.tif 000010
【図９】
2019021187.tif 000011
【図１０】
2019021187.tif 000012